(57)【要約】【課題】色温度を調整し易い光源ユニット、眼科撮影装置、眼科手術用照明器具、および光源ユニットの製造方法を提供することを技術課題とする。【解決手段】被検眼を照明するための光源ユニットであって、励起光を発する光源と、前記励起光の一部を蛍光に変換する蛍光体と、前記励起光を前記蛍光体に集光させる集光光学系と、前記蛍光体を透過した励起光である透過光と、前記蛍光と、を照明領域に照射する照射光学系と、を備え、前記照射光学系において、前記透過光に対する開口数よりも前記蛍光に対する開口数が大きいことを特徴とする。【選択図】図３
2020069342.tif 000002
【特許請求の範囲】
【請求項１】
被検眼を照明するための光源ユニットであって、
励起光を発する光源と、
前記励起光の一部を蛍光に変換する蛍光体と、
前記励起光を前記蛍光体に集光させる集光光学系と、
前記蛍光体を透過した励起光である透過光と、前記蛍光と、を照明領域に照射する照射光学系と、を備え、
前記照射光学系において、前記透過光に対する開口数よりも前記蛍光に対する開口数が大きいことを特徴とする光源ユニット。
【請求項２】
前記照明領域における前記透過光と前記蛍光との割合を変化させる可変手段をさらに備えることを特徴とする請求項１の光源ユニット。
【請求項３】
前記可変手段は、前記照射光学系において前記透過光に対する開口数よりも前記蛍光に対する開口数が大きくなる範囲で、前記蛍光に対する前記照射光学系の開口数を変化させることで、前記照明領域における前記透過光と前記蛍光との割合を変化させることを特徴とする請求項２の光源ユニット。
【請求項４】
前記可変手段は、前記照射光学系において前記透過光に対する開口数よりも前記蛍光に対する開口数が大きくなる範囲で、前記励起光に対する前記集光光学系の開口数を変化させることで、前記照明領域における前記透過光と前記蛍光との割合を変化させることを特徴とする請求項２の光源ユニット。
【請求項５】
前記可変手段は、開口径の大きさを変更可能な可変絞りであることを特徴とする請求項２〜４のいずれかの光源ユニット。
【請求項６】
前記可変手段は、前記蛍光体と、前記光源または前記集光光学系との相対距離を変更可能な駆動部であることを特徴とする請求項４の光源ユニット。
【請求項７】
前記光源は、前記透過光の開口数の変化に基づいて、前記励起光の光量を増減させることを特徴とする請求項２〜６のいずれかの光源ユニット。
【請求項８】
前記透過光と前記蛍光との割合を測定する測定手段をさらに備えることを特徴とする請求項１〜７のいずれかの光源ユニット。
【請求項９】
前記可変手段は、前記測定手段の測定結果に基づいて前記透過光と前記蛍光との割合を変化させることを特徴とする請求項８の光源ユニット。
【請求項１０】
被検眼を撮影する眼科撮影装置であって、
請求項１の光源ユニットと、
前記光源ユニットによって発生した照明光を前記被検眼に投光する投光光学系と、
前記被検眼から反射した前記照明光を受光する受光光学系と、
を備えることを特徴とする眼科撮影装置。
【請求項１１】
患者眼を照明するための眼科手術用照明器具であって、
請求項１の光源ユニットと、
前記患者眼の内部に挿入されるプローブを介して前記光源ユニットによって発生した照明光を前記患者眼に投光する投光光学系と、
を備えることを特徴とする眼科手術用照明器具。
【請求項１２】
請求項１の光源ユニットの製造方法であって、
前記透過光と前記蛍光との割合を調整する調整工程を含むことを特徴とする光源ユニットの製造方法。
【発明の詳細な説明】
【技術分野】
【０００１】
本開示は、被検眼の照明に用いられる光源ユニット、眼科撮影装置、眼科手術用照明器具、および光源ユニットの製造方法に関する。
【背景技術】
【０００２】
被検眼の眼底の正面画像を撮影する眼科撮影装置、または水晶体、硝子体の手術を行う眼科手術装置等が眼科分野において広く利用されている。眼科撮影装置の１種として、例えば、光源から出射した照明光を眼底上でライン状に走査すると共に、ライン状に照明された領域を光検出器によって、走査に応じて逐次撮像することによって、眼底の正面画像を得る眼底撮影装置が知られている。
【先行技術文献】
【特許文献】
【０００３】
【特許文献１】特開２０１７−４６９３９号公報
【発明の概要】
【発明が解決しようとする課題】
【０００４】
ところで、眼科撮影装置または眼科手術用照明器具において、波長域が狭い励起光を蛍光体に集光照射することで波長域が広い白色光を得る蛍光体励起光源などが用いられる。従来の蛍光体励起光源では、所望の色温度の光源を作成するために蛍光体の厚さを調整していた。しかしながら、蛍光体の厚さは後から調整することが難しく、個体によって色温度にばらつきが発生していた。
【０００５】
本開示は、従来技術の問題点に鑑み、色温度を調整し易い光源ユニット、眼科撮影装置、眼科手術用照明器具、および光源ユニットの製造方法を提供することを技術課題とする。
【課題を解決するための手段】
【０００６】
上記課題を解決するために、本開示は以下のような構成を備えることを特徴とする。
【０００７】
（１）  被検眼を照明するための光源ユニットであって、励起光を発する光源と、前記励起光の一部を蛍光に変換する蛍光体と、前記励起光を前記蛍光体に集光させる集光光学系と、前記蛍光体を透過した励起光である透過光と、前記蛍光と、を照明領域に照射する照射光学系と、を備え、前記照射光学系において、前記透過光に対する開口数よりも前記蛍光に対する開口数が大きいことを特徴とする。
【発明の効果】
【０００８】
本開示によれば、色温度の調整が容易となる。
【図面の簡単な説明】
【０００９】
【図１】眼科撮影装置の概略構成を示したブロック図である。
【図２】撮影光学系の一例を示した図である。
【図３】第１実施例の光源ユニットの一例を示す概略図である。
【図４】第１実施例の色温度調整について説明するための説明図である。
【図５】第２実施例の光源ユニットの一例を示す概略図である。
【図６】第２実施例の色温度調整について説明するための説明図である。
【図７】第２実施例の変容例を示す概略図である。
【図８】変容例の色温度調整について説明するための説明図である。
【図９】測定部の配置について説明するための図である。
【発明を実施するための形態】
【００１０】
＜実施形態＞
以下、図面に基づいて、本開示の実施形態を説明する。本実施形態の光源ユニットは、例えば、被検眼を照明するために用いられる。例えば、図１に示すように、光源ユニット（例えば、光源ユニット１２０）は、眼科撮影装置（例えば、眼科撮影装置１）、または眼科手術用照明器具等に用いられる。光源ユニットは、例えば、図２に示すように、光源（例えば、励起光源１２１）と、蛍光体（例えば、蛍光体１２４）と、集光光学系（例えば、集光光学系１２３）と、照射光学系（例えば、照射光学系１２６）を備える。
【００１１】
光源は、例えば、蛍光体が蛍光を発生させるための励起光を発する。光源は、例えば、ＬＤ、ＬＥＤなどである。光源は、蛍光体の種類に応じた波長の光を発する。蛍光体は、励起光の一部を蛍光に変換する。集光光学系は、励起光を蛍光体に集光させる。照射光学系は、蛍光体を透過した励起光である透過光と、蛍光と、を照明領域に照射する。本実施形態の光源ユニットは、照射光学系において、透過光に対する開口数よりも蛍光に対する開口数が大きい。これによって、光源ユニットは、透過光と蛍光が混ざり合う割合（例えば、混色比率）を調整し易くなり、照明光の色温度を調整し易くなる。例えば、光源ユニットは、照明光の色温度を所定の色温度に調整し易くなる。例えば、光源ユニットは、好適な色温度で被検眼を照明できる。
【００１２】
なお、光源ユニットは、可変部（例えば、可変絞り１２５、可変絞り１４１、または駆動部８０など）をさらに備えてもよい。可変部は、照明領域における透過光と蛍光との割合を変化させる。これによって、光源ユニットは、透過光と蛍光が混ざり合う割合を容易に調整することができ、照明光の色温度を容易に調整できる。
【００１３】
なお、可変部は、照射光学系において透過光に対する開口数よりも蛍光に対する開口数が大きくなる範囲で、蛍光に対する照射光学系の開口数を変化させることで、照明領域における透過光と蛍光との割合を変化させてもよい。これによって、光源ユニットは、透過光と蛍光が混ざり合う割合を容易に調整することができる。
【００１４】
なお、可変部は、照射光学系において透過光に対する開口数よりも蛍光に対する開口数が大きくなる範囲で、励起光に対する集光光学系の開口数を変化させることで、照明領域における透過光と蛍光との割合を変化させてもよい。これによって、光源ユニットは、透過光と蛍光が混ざり合う割合を容易に調整することができる。
【００１５】
なお、可変部は、開口径の大きさを変更可能な可変絞りであってもよいし、光を反射または屈折させる光学素子であってもよい。可変部は、光学素子を挿抜する駆動部を含んでもよい。また、可変部は、蛍光体と、光源または集光光学系との相対距離を変更可能な駆動部であってもよい。
【００１６】
なお、光源は、例えば、透過光（または励起光）の開口数の変化に基づいて、励起光の光量を増減させてもよい。これによって、光源ユニットは、色温度を調整しても安定した光量の照明光を発生させることができる。この場合、例えば光源は、装置の制御部（例えば、制御部７０）等に制御されてもよいし、光源ユニット自体に設けられた制御部によって制御されてもよい。
【００１７】
なお、光源ユニットは、測定部（例えば、測定部９０）を備えてもよい（図９参照）。測定部は、例えば、透過光と蛍光との割合を測定する。測定部は、照明光の色温度を測定してもよい。測定部は、例えば、波長分布測定器であってもよいし、特定波長の光を受光する受光素子であってもよい。この場合、可変部は、例えば、測定部の測定結果に基づいて照射領域における透過光と蛍光の割合を変化させてもよい。この場合、例えば可変部は、装置の制御部（例えば、制御部７０）等に制御されてもよいし、光源ユニット自体に設けられた制御部によって制御されてもよい。
【００１８】
なお、光源ユニットは、被検眼を撮影する眼科撮影装置（例えば、眼科撮影装置１）に用いられてもよい。眼科撮影装置は、例えば、光源ユニットと、投光光学系（例えば、投光光学系１０）と、受光光学系（例えば、受光光学系２０）と、を備えてもよい。投光光学系は、例えば、光源ユニットによって発生した照明光を被検眼に投光する。受光光学系は、被検眼から反射した照明光を受光する。
【００１９】
なお、光源ユニットは、患者眼を照明するための眼科手術用照明器具に用いられてもよい。眼科手術用照明器具は、例えば、光源ユニットと、投光光学系を備える。例えば、投光光学系は、患者眼の内部に挿入されるプローブを介して光源ユニットによって発生した照明光を患者眼に投光する。
【００２０】
なお、光源ユニットは、調整工程を含む光源ユニットの製造方法によって製造されてもよい。調整工程は、例えば、透過光と蛍光との割合を調整する工程である。これによって、好適な色温度の光源ユニットを安定して製造できる。光源ユニットの製造方法は、例えば、測定工程を含んでもよい。測定工程は、例えば、透過光と蛍光との割合を測定する工程である。この場合、調整工程では、測定工程における測定結果に基づいて透過光と蛍光との割合が調整される。
【００２１】
＜実施例＞
以下、図面に基づいて、本開示の実施例を説明する。実施例に係る眼科撮影装置１（以下、「装置１」と省略する）は、被検眼Ｅの観察又は撮影に利用される。眼科撮影装置１は、例えば、ライン走査方式の眼底撮影装置である。
【００２２】
＜全体構成＞
図１に、装置１の全体構成を示す。装置１は、撮影光学系１００と、光源ユニット１２０を有する。装置１は、第２光学系６０、および制御部７０を有してもよい。制御部７０は、装置１の動作を司るプロセッサである。また、本実施例において、制御部７０は、画像処理器を兼用する。但し、必ずしもこれに限られるものではなく、制御部７０と別体の画像処理器が設けられていてもよい。装置１には、撮影光学系１００によって撮影された眼底画像を表示するモニタ７５が設けられていてもよい。
【００２３】
第２光学系６０は、治療レーザ光を眼底へ照射する光学系であってもよい。この場合、撮影光学系１００は、被検眼（患者眼ともいう）における治療位置の観察に利用されてもよい。また、第２光学系６０は、固視標を投影する固視投影光学系であってもよい。また、眼底のＯＣＴデータを取得するＯＣＴ光学系であってもよい。
【００２４】
＜撮影光学系＞
次に、図２を参照して、撮影光学系１００の詳細構成を説明する。撮影光学系１００は、眼底を撮影するための主要な光学系である。図２は撮影光学系１００の一具体例を示す。図２において撮影光学系１００には、共焦点光学系の１つである、ラインスキャンＳＬＯ（「ＬＳＬＯ」という）の光学系が採用されている。
【００２５】
撮影光学系１００は、投光光学系１０と、受光光学系２０と、を有する。投光光学系１０は、光源ユニット１２０からの照明光を被検眼Ｅの眼底Ｅｒ上においてライン状に成形し、ライン方向（ライン状光束の長手方向）と交差する方向へ照明光を走査する。光源ユニット１２０については後述する。受光光学系２０は、ライン状に照明された領域を光検出器２２の撮像面へ結像させる。撮像面へ眼底上の領域が照明光の走査に応じて変位するので、撮影範囲全体の眼底画像を、撮影範囲全体が走査されるたびに、光検出器２２からの出力信号に基づいて取得できる。なお、図２においては、Ｘ方向（紙面奥行き方向）をライン方向とし、Ｙ方向（紙面上下方向）を走査方向として、光線および各部を示している。
【００２６】
投光光学系１０は、光スキャナ４０を少なくとも有する。また、投光光学系１０は、図２に示すように、照明光成形部１４、光路分岐部３０、レンズ群３５、ミラー４２、および、対物光学系４５、の全部または一部を、更に有していてもよい。
【００２７】
照明光成形部１４は、眼底Ｅｒ上において照明光をライン状に成形するための光学素子である。照明光成形部１４は、投光光学系１０における独立光路上に配置されていてもよい。図２は、照明光成形部１４として、シリンドリカルレンズ（ここでは、凸シリンドリカルレンズ）が利用されている。図２において、凸シリンドリカルレンズは、光源ユニット１２０と眼底共役位置との間に配置され、眼底共役位置において照明光をライン状に集光させる。その結果、眼底Ｅｒ上において照明光がライン状に成形される。また、シリンドリカルレンズに変えて、照明光成形部１４としてスリットを用いてもよい。この場合、眼底共役位置上にスリットが配置されることが望ましい。勿論、照明光成形部１４として、他の光学素子が用いられてもよい。
【００２８】
図２に示した光学系では、照明光成形部１４からの光は、光路分岐部３０およびレンズ群３５を通過して、光スキャナ４０へ入射される。
【００２９】
光スキャナ４０は、眼底上で照明光を走査する。ライン方向と交差する方向が、光スキャナ４０の走査方向として定められる。光スキャナ４０は、制御部７０からの信号に基づいて駆動される。光スキャナ４０には、例えば、ガルバノミラーを用いることができる。光スキャナ４０は、必ずしもガルバノミラーに限定されるものではなく、ポリゴンミラーおよびMEMS等の他の反射型のデバイスであってもよいし、透過型のデバイスであってもよい。
【００３０】
図２において、照明光は、光スキャナ４０によって偏向された後、ミラー４２によって反射され、対物光学系４５を介して被検眼Ｅへ照射される。対物光学系４５は、前眼部に形成される射出瞳を介して、照明光を眼底へ導く。図２に示した対物光学系４５は、レンズ系であるが、ミラー系であってもよい。光スキャナ４０の駆動に応じて、照明光は射出瞳の位置で旋回される。照明光は、眼底で反射又は散乱される。その結果として、眼底からの戻り光（散乱・反射光）が、瞳孔から平行光として出射される。
【００３１】
受光光学系２０は、受光レンズ２４と、光検出器２２と、を少なくとも備える。また、図２に示すように、受光光学系２０は、対物光学系４５から光路分岐部３０までの各部材を、投光光学系１０と共用していてもよい。この場合、眼底からの戻り光は、投光時の光路をさかのぼって、光路分岐部３０まで導かれる。光路分岐部３０は、投光光学系１０と受光光学系２０との光路を結合および分離する。穴あきミラー、ハーフミラー等の種々のビームスプリッターのうち、いずれかが、光路分岐部３０として適宜採用されてもよい。図２において、戻り光は、光路分岐部３０によって反射される。これにより、受光光学系２０の独立光路へ戻り光が導かれる。その後、ミラー２６によって反射された戻り光は、受光レンズ２４を通過し、光検出器２２へ照射される。
【００３２】
＜光検出器＞
光検出器２２には、複数の画素が一方向に並べられた画素列が形成されており、画素列が１列または複数列並べられている。本実施例では、画素列の長手方向をライン方向と一致させて眼底共役面に配置される。光検出器２２が有する各画素は、正方形で形成されたものであってもよい。但し、必ずしもこれに限られるものでなく、各画素は、走査方向に沿った辺がライン方向に沿った辺に対して長い、長方形画素であってもよい。
【００３３】
本実施例では、例えば、光検出器２２として、正方形画素によるカラー方式のラインセンサーが採用されているものとする。一具体例として、光検出器２２は、カラー方式の２ラインセンサーであってもよい。光検出器２２は、複数の画素（受光素子）を有し、複数の画素は２列で配列されている。各画素にはカラーフィルターが配置されている。詳細には、光検出器２２の各画素にはＲフィルターとＧフィルターとＢフィルターの少なくともいずれかが組み込まれている。光検出器２２の各画素はカラーフィルターを介して受光する。本実施例のＲフィルターは赤色帯域の光（可視光）と赤外帯域の光（赤外光）を透光し、Ｇフィルターは緑色帯域の光（可視光）と赤外帯域の光（赤外光）を透光し、Ｂフィルターは青色帯域の光（可視光）と赤外帯域の光（赤外光）を透光する分光透過特性を有している。なお光検出器２２の各画素は同じサイズの正方形であり、赤外光と可視光の感度を有する。
【００３４】
＜光源ユニット＞
光源ユニット１２０は、照明光を出射する。図３に示すように、光源ユニット１２０は、例えば、励起光源１２１と、集光光学系１２３と、蛍光体１２４と、可変絞り１２５と、駆動部１２５ｂと、照射光学系１２６等を備える。また、光源ユニット１２０は、ファイバー１２２と、ファイバー１２７等を備えてもよい。
【００３５】
励起光源１２１は、例えば、レーザ光源（レーザダイオード：ＬＤ）である。励起光源１２１は、例えば、青色レーザ光を照射する。ファイバー１２２は、励起光源１２１から照射された励起光１３１を集光光学系１２３へと導く。集光光学系１２３は、励起光源１２１からの励起光１３１を蛍光体１２４に集光させる。蛍光体１２４は、例えば、励起光１３１の一部を蛍光１３３に変換する。蛍光体１２４は、例えば、Ｃe：ＹＡＧ等である。Ｃe：ＹＡＧは、青色光を吸収して黄色発光し、吸収されなかった青色光と黄色光の混色によって擬似白色を形成するため、照明に利用される。もちろん、励起光源１２１と蛍光体１２４は他の組み合わせであってもよい。例えば、黄色の蛍光体だけでなく赤色の蛍光体などが用いられてもよい。
【００３６】
可変絞り１２５は、照射光学系１２６の口径を変更する。可変絞り１２５は、蛍光体１２４と照射光学系１２６の間に配置される。可変絞り１２５の開口部１２５ａは、透過光１３２の光束径よりも大きく設定される。開口部１２５ａの口径は、駆動部１２５ｂの駆動によって変更される。照射光学系１２６は、蛍光体１２４を透過した励起光１３１（透過光１３２）と、蛍光１３３とを照明光１３４として照射領域に照射する。本実施例の場合、照射光学系１２６は、ファイバー１２７の端部１２７ａに向けて照明光１３４を照射する。ファイバー１２７は、光源ユニット１２０による照明光１３４を眼科撮影装置１へと導く。例えば、ファイバー１２７は、照射光学系１２６から入射した照明光１３４を撮影光学系１００に向けて照射する。
【００３７】
励起光源１２１から出射された励起光１３１は、ファイバー１２２を通って集光光学系１２３に出射される。集光光学系１２３は、ファイバー１２２から出射された励起光１３１を蛍光体１２４に集光させる。励起光１３１の一部は、蛍光体１２４によって蛍光１３３に変換される。蛍光１３３に変換されなかった励起光１３１は、そのまま蛍光体１２４を透過し、透過光１３２となる。光がほぼ散乱しない（透明な）蛍光体１２４を用いる場合、透過光１３２のＮＡは励起光１３１のＮＡと同じになる。開口部１２５ａは、透過光１３２の光束径よりも大きく設定されているため、透過光１３２は可変絞り１２５に遮られることなく開口部１２５ａを通過する。一方、蛍光１３３は励起光１３１のＮＡ（開口数）に依らず等方的に拡がる。したがって、蛍光１３３の一部は開口部１２５ａを通過し、一部は可変絞り１２５によって遮られる。開口部１２５ａを通過した透過光１３２と蛍光１３３は、照射光学系１２６によって集光され、端部１２７ａからファイバー１２７の内部に入射する。
【００３８】
＜色温度調整＞
本実施例の光源ユニット１２０は、照明光１３４の色温度を調整することができる。色温度は、例えば、光源が発する光の色を表す尺度であり、単位にはＫ（ケルビン）が用いられる。色温度が低いほど暖色系の色を示し、高いほど寒色系の色を示す。照明光１３４の色温度は、例えば、照明領域（本実施例では端部１２７ａ）での波長分布によって決まり、波長分布は透過光１３２と蛍光１３３が混ざり合う割合によって決まる。
【００３９】
制御部７０は、可変絞り１２５を制御することによって、照明光１３４の色温度を調整する。例えば、制御部７０は、駆動部１２５ｂを制御し、開口部１２５ａの口径が透過光１３２の光束径よりも大きくなる範囲で開口部１２５ａの大きさを変化させる。つまり、制御部７０は、蛍光１３３のＮＡが透過光１３２のＮＡよりも大きくなる範囲で開口部１２５ａの大きさを変化させる。これによって、制御部７０は、透過光１３２と蛍光１３３の混ざり合う割合を変化させる。例えば、図４は、図３の状態から開口部１２５ａの口径を小さくしたときの様子を示す。開口部１２５ａの口径が小さくなることによって、開口部１２５ａを通過する蛍光１３３の光量は小さくなる。一方、透過光１３２の光束径は開口部１２５ａよりも小さいため、開口部１２５ａをすべて通過する。したがって、開口部１２５ａを小さくした場合、透過光１３２に対する蛍光１３３の割合が小さくなる。逆に、開口部１２５ａを小さくした場合、透過光１３２に対する蛍光１３３の割合が大きくなる。
【００４０】
上記のように、開口部１２５ａの大きさを透過光１３２の光束径よりも大きくなる範囲で変化させた場合、照射領域に到達する蛍光１３３の光量は開口部１２５ａの口径に依存する。一方、照射領域に到達する透過光１３２の光量は開口部１２５ａの口径に依存せず、一定である。したがって、制御部７０は、開口部１２５ａの大きさを制御することによって蛍光１３３の光量を変化させ、照射領域での透過光１３２に対する蛍光１３３の割合を変化させる。これによって、制御部７０は、照明光１３４の色温度を調整することができる。例えば、制御部７０は、５０００〜６０００Ｋ程度に照明光１３４の色温度を調整する。この場合、照明光１３４は白色光となる。
【００４１】
以上のように、本実施例の光源ユニット１２０において、可変絞り１２５の開口部１２５ａは、透過光１３２の光束径よりも大きく設定される。つまり、蛍光１３３のＮＡは、透過光１３２のＮＡよりも大きい。これによって、光源ユニット１２０は、透過光１３２と蛍光１３３が混ざり合う割合を調整し易くなり、照明光１３４の色温度を調整し易くなる。
【００４２】
また、光源ユニット１２０は、可変絞り１２５を備え、開口部１２５ｂの大きさを透過光１３２の光束径よりも大きくなる範囲で変化させることによって、蛍光１３３のＮＡを調整できる。これによって、光源ユニット１２０は、透過光１３２と蛍光１３３が混ざり合う割合を容易に調整することができ、照明光１３４の色温度を容易に調整できる。
【００４３】
また、光源ユニット１２０は、従来の白色ＬＥＤとは異なり、レーザ光源によって小さいスポットを照明できるため、ＳＬＯ用の白色光源として用いることに適している。
【００４４】
なお、第１実施例において、光源ユニット１２０は必ずしも可変絞り１２５を備えなくてもよい。例えば、光源ユニット１２０は、可変絞り１２５に代えて開口径が固定された絞りを備えてもよい。この場合、照明光１３４の色温度が所望の値になるような開口径を有する絞りが配置される。色温度を調整する場合は、開口径の異なる絞りを配置してもよい。
【００４５】
＜第２実施例＞
次に第２実施例について図６を用いて説明する。第２実施例の光源ユニット１４０は、第１実施例に対して可変絞りの位置が異なる。なお、第１実施例と同じ構成については同一番号を付し、説明は省略する。第２実施例の光源ユニット１４０は、透過光１３２のＮＡを変更することによって照明光の色温度を調整する。第２実施例において、可変絞り１４１は、ファイバー１２２と集光光学系１２３の間に配置される。これによって、ファイバー１２２から出射された励起光１３１は、可変絞り１４１の開口部１４１ａを通り、集光光学系１２３に向かう。制御部７０は、駆動部１４１ｂの駆動を制御することによって、可変絞り１４１の開口部１４１ａの大きさを変なさせる。図７に示すように、制御部によって可変絞り１４１の開口径が変更されると、励起光１３１のＮＡが変化するため、透過光１３２のＮＡも変化する。このように、制御部７０は、可変絞り１４１を制御することによって、励起光１３１および透過光１３２のＮＡを変化させることで、照射領域における透過光１３２と蛍光１３３との割合を変化させる。これによって、制御部７０は、照明光１３４の色温度を調整する。
【００４６】
＜変容例＞
第２実施例の変容例について図７を用いて説明する。本変容例の光源ユニット１４０ａは、駆動部８０を備える。駆動部８０は、ファイバー１２２（または励起光源１２１）と、集光光学系１２３とを光軸Ｏ１方向に移動させる。図７の例では、駆動部８０は、ファイバー１２２を光軸Ｏ１方向に移動させる駆動部８１と、集光光学系１２３を光軸Ｏ１方向に移動させる駆動部８２を有する。図８は、図７の状態から集光光学系１２３を蛍光体１２４に近づけたときの様子を示す。このとき、励起光１３１が蛍光体１２４に集光するようにファイバー１２２も移動される。このように、ファイバー１２２と、集光光学系１２３が光軸Ｏ１方向に移動されることによって、励起光源１２１と集光光学系１２３と蛍光体１２４との距離関係が変化し、蛍光体１２４に集光される励起光１３１のＮＡが変化する。これによって、照射領域における透過光１３２と蛍光１３３との割合が変化し、照明光１３４の色温度が調整される。
【００４７】
なお、第１または第２実施例において、制御部７０は、開口部１２５ａ，１４１ａの大きさ、または励起光源１２１と集光光学系１２３と蛍光体１２４との距離関係によって、照射領域における照明光１３４の光量が変化しないように、励起光源１２１の出力を制御してもよい。例えば、制御部７０は、開口部１２５ａ，１４１ａの大きさ、または励起光源１２１と集光光学系１２３と蛍光体１２４との距離に応じて、励起光源１２１の光量を増減させてもよい。これによって、制御部７０は、照明光１３４の光量を安定させることができる。例えば、制御部７０は、開口部１２５ａ，１４１ａを大きくする場合に励起光源１２１の光量を小さくし、開口部１２５ａ，１４１ａを小さくする場合に励起光源１２１の光量を大きくしてもよい。また、例えば、制御部７０は、蛍光体１２４と励起光源１２１との距離を大きくする場合に励起光源１２１の光量を大きくし、蛍光体１２４と励起光源１２１との距離を小さくする場合に励起光源１２１の光量を小さくしてもよい。なお、開口部１２５ａ，１４１ａの大きさ、または励起光源１２１と集光光学系１２３と蛍光体１２４との距離関係に応じた励起光源１２１の出力の大きさは、実験的に求められたテーブルによって設定されてもよいし、理論的な計算式によって設定されてもよい。
【００４８】
なお、第１または第２実施例において、光源ユニット１２０，１４０は、測定部９０をさらに備えてもよい。測定部９０は、照明光１３４を測定し、透過光１３２と蛍光１３３が混合された割合を取得する。測定部９０は、例えば、波長分布を測定する波長分布測定器（例えば、スペクトロメータ）であってもよいし、フィルター等によって特定波長の光を受光する受光素子であってもよい。測定部９０は、例えば、図９に示すように、ファイバー１２７の上流側（または下流側）などに配置されたハーフミラー９１によって分岐された照明光１３４を受光する。測定部９０の測定結果は、制御部７０に出力される。制御部７０は、測定部９０からの入力に基づいて、可変絞り１２５，１４１の開口径１２５ａ，１４１ａを制御してもよいし、励起光源１２１と集光光学系１２３と蛍光体１２４との距離関係を制御してもよい。
【００４９】
なお、第１および第２実施例の光源ユニット１２０，１４０は、眼科手術用照明器具に用いられてもよい。例えば、ファイバー１２７の先端に照明光を照射するためのプローブが接続され、プローブを眼球に挿入することによって眼球内部に照明光を照射してもよい。光源ユニット１２０，１４０は、照射領域が小さいため、眼球に挿入するためのファイバー１２７またはプローブ等の径を小さくすることができ、患者の負担を軽減することができる。
【００５０】
なお、上記の実施例において、光源ユニット１２０は、励起光源１２１または光源ユニット１２０のレイアウトの自由度を高めるためにファイバー１２２、１２７を備えていたが、必ずしも備えなくてもよい。
【００５１】
なお、上記の実施例において、照明光成形部１４を照射光学系１２６として用いてもよい。例えば、第１実施例の場合、可変絞り１２５が照明光成形部１４の口径を変化させることによって、照明光の色温度が調整される。
【００５２】
なお、上記の実施例において、透過光１３２（励起光１３１）の開口数は０．２以下に設定されてもよい。透過光１３２の開口数が小さく設定されることによって、照明光１３４がファイバー１２７に入りやすくなる。
【００５３】
なお、上記の実施例において、ラインＳＬＯを採用したが、これに限らない。例えば、光源１２からの照明光１３４を被検眼Ｅの眼底Ｅｒ上においてスポット上に形成する通常のＳＬＯであってもよい。
【符号の説明】
【００５４】
１        眼科撮影装置
１０      投光光学系
２０      受光光学系
２２      光検出器
２４      受光レンズ
１２０    光源ユニット
１２１    励起光源
【図１】
2020069342.tif 000003
【図２】
2020069342.tif 000004
【図３】
2020069342.tif 000005
【図４】
2020069342.tif 000006
【図５】
2020069342.tif 000007
【図６】
2020069342.tif 000008
【図７】
2020069342.tif 000009
【図８】
2020069342.tif 000010
【図９】
2020069342.tif 000011